(57)【要約】      （修正有）【課題】冷凍品等の保冷効果を長時間に亘って維持し、一般運送車に対し冷凍品を常温商品と混載して、運送、配送を可能にする保冷型コンテナを提供する。【解決手段】外被内に多孔質構造の芯材を減圧密封して真空断熱材を形成し、真空断熱材を用いて折り畳み自在に形成した箱形の保冷容器Ａと、硬質材料により折り畳み自在に形成した箱型の硬質容器Ｂとから構成され、保冷容器Ａを硬質容器Ｂ内に出し入れ可能に収納する。【選択図】図１
0003103332.tif 000002
【実用新案登録請求の範囲】
【請求項１】
外被内の多孔質構造の芯材を減圧密封して真空断熱材を形成し、該真空断熱材を折り畳み自在に接合させた箱形の保冷容器と、
硬質材料を組合せて折り畳み自在に形成した硬質容器とから構成され、
前記保冷容器を前記硬質容器内に出し入れ可能に収納したことを特徴とする保冷型コンテナ。
【請求項２】
前記保冷容器は、中央部で上方へ観音開き可能な底板部と、中央部で内方へ屈曲可能な一対の側板部と、中央部で上方へ観音開き可能な開閉蓋部とを備えることを特徴とする請求項１に記載の保冷型コンテナ。
【請求項３】
前記保冷容器の底板部、側板部、開閉蓋部の内面が熱反射処理されていることを特徴とする請求項１又は２記載の保冷型コンテナ。
【請求項４】
前記保冷容器の側板部から底板部を経て対向する側板部から蓋部にかけて、柔軟性の断熱シートが張設されていることを特徴とする請求項１〜３のいずれか１記載の保冷型コンテナ。
【請求項５】
前記断熱シートの内面が熱反射処理されていることを特徴とする請求項４記載の保冷型コンテナ。
【請求項６】
前記保冷容器における底板部および開閉蓋部は、常時は各観音開き部分がファスナにより接合されて略密に閉じられていることを特徴とする請求項１〜５のいずれか１に記載の保冷型コンテナ。
【考案の詳細な説明】
【技術分野】
【０００１】
本考案は、食品などの冷凍品、冷蔵品を貯蔵設備から小売店舗へ配送する場合などに利用する保冷型コンテナに関する。
【背景技術】
【０００２】
食品などの冷凍品は、商品センタなどの冷凍冷蔵庫から、例えば−２０℃程度に保たれて小売店舗ごとに小分けして取り出され、発泡樹脂などで形成される保冷容器に収納されて配送される(例えば、特許文献１参照)。この保冷容器の配送は、専用の保冷車（チルド車、冷凍車）に搭載され、小売店舗ごとに順次搬送が行われる。この場合に、冷凍品とともにドライアイスなどが保冷容器内に収納され、輸送中の保冷効果を持続させ、冷凍品の品質劣化を防止している。
【特許文献１】特開２００２‐３３７９５２号公報
【考案の開示】
【考案が解決しようとする課題】
【０００３】
しかしながら、従来の冷凍品を収納する保冷容器の多くは、発砲ウレタンフォームなどの発泡樹脂やこれらの表面に熱反射処理を施したものなどで箱型に形成されている。この種の保冷容器では、保冷時間が短く、搬送時間に自ずから制約があった。このため、保冷容器に冷凍品とともにドライアイスを収納することにより、保冷時間を延ばす方法が採用されている。しかし、ドライアイスは昇華によって速やかに保冷効果を失い保冷時間が限られている。
【０００４】
また、冷凍品を発砲樹脂製の保冷容器に収納し、これを保冷車に載せて長時間配送する場合がある。この場合には、アイドリングストップを繰り返しながら各店舗ごとに荷降しする際に庫内温度が上昇する。このため、必要以上の量のドライアイスや蓄冷材を保冷容器内に収納する必要がある。また、アイスクリームなどでは専用の冷凍専用庫を用いる必要があり、アイドリングストップすることは好ましくない。従って、搬送燃費、運送料が嵩み、冷凍品の値段が高くなる。
【０００５】
本考案は、冷凍品、冷蔵品の保冷効果を長時間に亘って十分に維持できるとともに、一般運送車両に常温商品と混載で運搬、配送できる保冷型コンテナを提供するものである。
【課題を解決するための手段】
【０００６】
請求項１の考案に係る保冷型コンテナは、外被内の多孔質構造の芯材を減圧密封して真空断熱材を形成し、該真空断熱材を折り畳み自在に接合させた箱形の保冷容器と、硬質材料を組合せて折り畳み自在に形成した硬質容器とから構成され、前記保冷容器を前記硬質容器内に出し入れ可能に収納したことを特徴とする。
【０００７】
請求項１によれば、保冷容器を外被内の多孔質構造の芯材を減圧密封して真空断熱材を形成するので、真空断熱材の気体熱伝導率を殆どゼロにするという機能を発揮し、保冷容器内の冷熱の逃散および外部から保冷容器内への温熱の浸入を十分に遮断、抑制する。これは、硬質ウレタンフォームの約１０倍、グラスウールの約２０倍の断熱効果によって、冷凍品、冷蔵品の配送時間を、ドライアイスを収納した硬質ウレタンフォームの容器を用いた場合に比べ、数倍以上に延ばすことができる。
また、冷蔵品、冷凍品を保冷容器に収納し、さらにこの保冷容器を硬質容器に収納しているので、二重の断熱となり、保冷効果が保冷容器と共に一段と向上する。このため保冷車でなく常温商品の運送車に混載して配送することも可能になる。
【０００８】
また、請求項２の考案にかかる保冷型コンテナは、前記保冷容器が、中央部で上方へ観音開き可能な底板部と、中央部で内方へ屈曲可能な一対の側板部と、中央部で上方へ観音開き可能な開閉蓋部とを備えることを特徴とする。
【０００９】
請求項２によれば、冷凍品等が収納されていない空の保冷容器を、底板部の中央で上方に屈曲し、一対の側板部の中央で折り曲げ、開閉蓋部を開いて外側へ折り返して、これらを畳んで互いに重ね合わせることができる。これにより、使用しないときは、保冷容器は折畳まれ、全体の形状が小さくなり、運搬時や収納時における占有空間を小さくできる。
【００１０】
また、請求項３の考案にかかる保冷型コンテナは、前記保冷容器の底板部、側板部、開閉蓋部の内面が熱反射処理されていることを特徴とする。
【００１１】
請求項３によれば、上記外被内の多孔質構造の芯材を減圧密封して形成した真空断熱材の断熱効果に加え、保冷容器内に収納した冷蔵品、冷凍品に対する断熱効果をさらに高めることができる。
【００１２】
また、請求項４の考案にかかる保冷型コンテナは、前記保冷容器の側板部から底板部を経て対向する側板部から蓋部にかけて、柔軟性の断熱シートが張設されていることを特徴とする。
【００１３】
請求項５の考案にかかる保冷型コンテナは、断熱シートの内面が熱反射処理されていることを特徴とする。
【００１４】
請求項４及び５によれば、断熱シートを施設することによって、断熱が三重構造となり保冷容器内に収納した冷蔵品、冷凍品に対する断熱効果をさらに高めることができる。
【００１５】
また、請求項６の考案にかかる保冷型コンテナは、前記保冷容器における底板部および開閉蓋部は、常時は各観音開き部分がファスナにより接合されて略密に閉じられていることを特徴とする。
【００１６】
請求項６によれば、保冷容器の開閉部分が、冷蔵品、冷凍品の収納時に密着状態を維持し、組み立ておよび折り畳みが自在であるにも拘わらず容器内が密閉され、容器内の保冷効果を十分かつ安定的に得ることができる。
【考案の効果】
【００１７】
本考案に係る保冷型コンテナは、真空断熱材を用いた密閉型の保冷容器を用いることにより、断熱効果を高め、保冷時間を長引かせることができる。従って、これまでのウレタンフォームの保冷容器を用いた場合に比べ、ドライアイスの使用量を１／２〜１／３以下に抑えることができる。また、硬質容器で二重の断熱の状態とすることが出来るので、保冷車などの専用車を用いないで済み、燃費を含め運送経費を大幅に低減できる。更に、ドライアイスの重量やウレタンフォーム容器サイズの低減により、冷凍品の流通、貯蔵を効率化できる。また、硬質容器は、強度があり、保温効果と共に搬送車への積載に便利である。
【考案を実施するための最良の形態】
【００１８】
本考案では、冷凍品や冷蔵品を、常温商品と同一の搬送手段で、保冷状態を保ったまま搬送するという目的を、真空断熱材を備えた保冷容器とこの保冷容器を収納する硬質容器とを用いて簡単、確実に実現した。
【実施例１】
【００１９】
図１は本考案における硬質容器に保冷容器を収納した状態の保冷型コンテナの斜視図、図２は本考案の保冷型コンテナを構成する保冷容器Ａの斜視図、図３はこの保冷容器Ａの縦断面図である。
【００２０】
本考案に係る保冷型コンテナ１は、図１に示すように、外被内の多孔質構造の芯材を減圧密封して真空断熱材を形成し、該真空断熱材を折り畳み自在に接合させた底板部と側板部と開閉蓋部を設けた箱形の保冷容器Ａと、この保冷容器Ａを取り出し自在に収納する硬質材料を組合せて折り畳み自在に形成した硬質容器Ｂとで構成される。保冷容器Ａは、硬質容器Ｂに収納され、ほぼ密着されるように形成されている。この保冷容器Ａは、図１に示すように、硬質容器Ｂ内に出し入れ可能に収納する。
【００２１】
保冷容器Ａは、図２および図３に示すように、折畳み自在に接合させた底板部２と、４枚の側板部３，４，５，６と、開閉蓋部７とを備えている。
この底板部２は、上方へ観音開き可能に立ち上げることができる開閉部２ａ，２ｂの２部分から形成されている。開閉部２ｂには覆片部８が連設されている。従って、開閉部２ａ，２ｂを閉じたとき、覆片部８が開閉部２ａの上部を一定の幅に亘って被覆する。この被覆部分の覆片部８および開閉部２ａには互いに相手を接合保持する面ファスナ９が設けられている。側板部３〜６の下端には、開閉部２ａ，２ｂの下面を支承する木製，布製，プラスチック製の弾力性シート１０の四周縁が固着されている。これにより、観音開き可能な底板部２が、冷凍品の重量によって下方に垂れ下がって開くのを防止できる。また、保冷容器Ａの折り畳み時には、弾力性シートが柔軟に変形するため、底板部の観音開き動作を妨げることがない。
【００２２】
側板部３〜６のうち対向する一対の側板部３，４は、底板部２に対し立ち上がるように折畳み自在に連設されている。一方、対向する他の一対の側板部５、６は、下端を底板部２に対し密接している。
【００２３】
側板部５，６は中央部に縦方向に折畳み自在の織り込み線１１，１２で接合されている。この折込線を中心として、折り込み片５ａ，５ｂ，６ａ，６ｂがそれぞれ容器Ａの内方へ折り曲げて折り込み可能とされている。
【００２４】
開閉蓋部７は、側板部３，４の各上辺に折畳み自在に連設された開閉部７ａ，７ｂからなる。これらの開閉部７ａ，７ｂは、側板部３と開閉部７ａ、および側板部４と開閉部７ｂの各接合部を介して開閉可能とされている。開閉部７ｂにはこれの幅と同等の短幅の覆板部１３が連設されている。覆板部１３は、開閉部７ｂとの接合部を介して折り曲げ可能とされている。
【００２５】
開閉部７ａ，７ｂおよび覆板部１３の各内面両端には一定幅の面ファスナ１４，１５，１６が設けられている。また、開閉部７ａの外面両端には一定幅の面ファスナ１７が設けられている。さらに、側板部５，６の上縁部には布などで形成される縁片体１８が一定幅(面ファスナ１４〜１６と略同幅)に折畳み自在に連接されている。この縁片体１８上に面ファスナ１９が設けられている。
【００２６】
従って、開閉部７ａ，７ｂを、側板部３〜６によって囲まれた保冷容器Ａの上部開口を塞ぐように折り曲げると、各面ファスナ１４，１５は面ファスナ１９に接合する。また、覆板部１３を開閉部７ａ外面上に重ねることで、面ファスナ１６が面ファスナ１７に接合する。これにより、前記上部開口は開閉部７ａ，７ｂと覆板部１３とにより略密閉される。
【００２７】
前記底板部２の開閉部２ａ，２ｂと、側板部３，４と、側板部５，６の折り込み片５ａ，５ｂ，６ａ，６ｂと、開閉蓋部７の開閉部７a，７ｂおよび覆板部１３は、それぞれ真空断熱材からなる。この真空断熱材はプラスチックや金属箔ラミネートフィルムなどの袋状の外被を形成し、この外被ｆ内に多孔質構造の芯材ｓを減圧密封(例えば、１〜２００ｐａの真空度)したものからなる。この真空断熱材は、気体熱伝導率の寄与を殆どゼロにできるため、優れた断熱性能を示す。
【００２８】
図４は前記保冷容器Ａを、前記開閉部７ａ，７ｂ、覆板部１３による密閉状態から折り畳む工程を示す。図４(ａ)はその密閉状態であり、これを折り畳むには、まず、開閉蓋部７ａ，７ｂを手で図４(ｂ)に示すように、開放する。このとき、ファスナ１６が面ファスナ１７から分離され、面ファスナ１４,１５が面ファスナ１９から分離される。
【００２９】
次に、底板部２の開閉部２a，２ｂを、図４(ｃ)の点線矢印に示すように、容器内側へ十分に立ち上げる。このとき、ファスナ９のところで、開閉部２ａと覆片部８との接合を解除する。さらに、各側板部５，６を折り畳み線１１，１２のところで、図４(ｄ)に示すように、容器Ａ内側に折り込む。すると、各折り込み片５ａ，５ｂと６ａ，６ｂがそれぞれ「く」の字状に屈曲する。このとき、面ファスナ１９を持つ縁片体１８を側板部５，６の内面側へ折り返しておく。
【００３０】
そして、各側板部５，６を、図４（ｅ）に示すように、十分折り込み、更に開閉部７ａ，７ｂを側板部２，４の外面側または内面側へ十分に折り返す。これにより、側板部３、開閉部２ａ、折り畳み片５ａ，５ｂ、開閉部２ｂおよび側板部４が、全体として同一水平面内で厚みが薄くなるように折り畳まれる。なお、このとき柔軟シート１０は開閉部２ａ，２ｂ間に折り畳まれる。
【００３１】
また、硬質容器Ｂは、密封状態の保冷容器Ａを安全に持ち運びできるように、図１に示すような、密閉型、例えば塩化ビニールなどのプラスチック製の硬質の容器である。この硬質容器Ｂは底板部２１、側板部２２〜２５および開閉蓋部２６とからなる。開閉蓋部２６は観音開き観音開き型の開閉部２６ａ，２６ｂからなり、容器の開口部を開閉するとともに、閉時は容器内を略気密封止する。このため、底板部２１、側板部２２〜２５および開閉蓋部相互の接続部および開閉部２６は密結合される構造が採用される。また、硬質容器の片側の側板部２２は、折り曲げ部２２ａ，２２ｂでこ内側におりまげられ、他方側の側板部２４は、折り曲げ部２４ａ，２４ｂでこ内側におりまげられ、〜２５
【００３２】
また、この硬質容器Ｂは、貯蔵時や運搬時の占有空間を抑えるために、折り畳み自在に構成されている。折り畳み可能な構造の本発明の硬質容器Ｂとしては、周知のあらゆる密封型の容器を利用することができる。従って、保冷容器Ａに収納される冷凍品等の種類、重量、形状に応じた補強構造、サイズ、デザインのものを選択して、硬質容器Ｂとして用いることができる。
【００３３】
一方、このように折畳まれた保冷容器Ａと硬質容器Ｂを使用する場合には、前記（ａ）〜（ｄ）とは逆の手順で、前記容器Ａの構成部分を開放し、図４（ｂ）に示す状態にする。次に、折畳まれた状態の硬質容器Ｂを上部を組み立てる。
この状態で保冷容器Ａを硬質容器Ｂに収納する。そして保冷容器Ａ内に冷凍品や冷蔵品を収納し、開閉部７ａ，７ｂとともに覆板部１３を閉じて、容器Ａ内を略密封状態にする。
【実施例２】
【００３４】
図５は本考案における保冷容器Ａの他の実施例を示す縦断面である。
図５に示すように、保冷容器Ａの側板部３から底板部２を経て対向する側板部４から蓋部７にかけて、柔軟性の帯状の断熱シート３０が張設されている。断熱シート３０の幅は、側板部３，底板部２，側板部４並びに蓋部７の幅とほぼ同じである。また、断熱シート３０の内面が熱反射処理されている。
【００３５】
保冷容器Ａの内側に断熱シート３０が配設されているので、保冷容器Ａ内に収納した冷蔵品、冷凍品に対する断熱効果をさらに一段と高めることができる。
【実施例３】
【００３６】
図６は本考案における保冷容器Ａの他の実施例を示す縦断面である。ここでは、その保冷容器Ａを概念的に示してある。図６が図３に示すものと異なるところは、側板部３，４，５，６の内側面に収納ポケット３１を設けた点である。これらの収納ポケット３１には、ドライアイスなどの保冷剤が収納され、容器内の低温保冷および冷凍品、冷蔵品の配送時間の延長を図ることができる。
【００３７】
収納ポケット３１は底板部２や開閉蓋部７にも必要に応じて設けることができる。これらの収納ポケット３１は容器の折り畳みを容易にするため、柔軟で肉薄の素材で形成することが望ましい。
【産業上の利用可能性】
【００３８】
本考案は、長時間に亘って保冷する必要がある生鮮食品や海鮮品あるいはアイスクリームといった冷凍品、冷蔵品のほか、常温で長期保存する食品等の貯蔵、配送、運搬をする用途にも広く利用可能である。
【図面の簡単な説明】
【００３９】
【図１】本考案における硬質容器に保冷容器を収納した状態の保冷型コンテナの斜視図。
【図２】本考案の実施の形態による保冷型コンテナの保冷容器を示す斜視図。
【図３】図１に示す保冷容器の縦断面図。
【図４】図１に示す保冷容器の折り畳み手順を示す説明図。
【図５】本考案の他の実施の形態による保冷容器の概略的に示す縦断面図。
【図６】本考案の他の実施の形態による保冷容器の概略的に示す縦断面図。
【符号の説明】
【００４０】
Ａ…保冷容器、
Ｂ…硬質容器、
２…底板部、
３，４，５，６…側板部、
７…開閉蓋部、
８，１４，１５，１６，１７，１９…面ファスナ、
１０…柔軟シート、
３０…断熱シート、
ｆ…外被、
ｓ…芯材。
【図１】
0003103332.tif 000003
【図２】
0003103332.tif 000004
【図３】
0003103332.tif 000005
【図４】
0003103332.tif 000006
【図５】
0003103332.tif 000007
【図６】
0003103332.tif 000008